【手続補正書】
【提出日】平成20年7月15日(2008.7.15)
【手続補正１】
【補正対象書類名】特許請求の範囲
【補正対象項目名】全文
【補正方法】変更
【補正の内容】
【特許請求の範囲】
【請求項１】
筒体の拡開部に、一本の軸の長さ方向のある個所から軸体と駒軸とに分ける小さい断面積にして連成した連成部を一個又は複数個設けて、前記軸体と前記駒軸を設けた前記軸体を打ち込み又は押込みにより連成部から破断させて、前記筒体の拡開部に前記軸体と前記駒軸が重なり合い挿入して、前記筒体の拡開部を拡開させることを特徴とした部材締結用アンカー。
【請求項２】
請求項１において、一本の軸に複数個の連成部を設けて前記軸体と前記駒軸を形成する場合、先端方向の連成部を後方の連成部に比して小さい断面積を有したことを特徴とした部材締結用アンカー。
【請求項３】
壁又は床等の取付基体の穴に、一本の軸の長さ方向のある個所から軸体と駒軸とに分ける小さい断面積にして連成した連成部を一個又は複数個設けて、前記軸体と前記駒軸を設けた前記軸体を打ち込み又は押込みにより連成部から破断させて、前記軸体と前記駒軸が重なり合い挿入して、前記軸体が壁又は床等の取付基体の穴の壁に取り付いて被取付部材を取付することのできる一本の軸からなることを特徴とした部材締結用アンカー。
【請求項４】
筒体の拡開部に、最初から軸体とは独立した軸の少なくとも一方側を先端に向ってテーパ状に先細にして形成する駒軸を一個又は複数個入れておき、その間に、軸の先端に向ってテーパ状に先細にして形成する軸体を打ち込み又は押込みによって入れて、前記筒体の拡開部に前記駒軸と前記軸体が重なり合い挿入して、前記筒体の拡開部を拡開させることを特徴とした部材締結用アンカー。
【請求項５】
壁又は床等の取付基体の穴の内部に、最初から軸体とは独立した軸の少なくとも一方側を先端に向ってテーパ状に先細にして形成する駒軸を一個又は複数個入れておき、その間に、軸の先端に向ってテーパ状に先細にして形成する軸体を打ち込み又は押込みによって入れて、壁又は床等の取付基体の穴の内部に前記駒軸と前記軸体が重なり合い挿入して、壁又は床等の取付基体の穴の側壁に前記駒軸と前記軸体とが重なり合って食い入るようにした、この前記軸体と前記駒軸によってなることを特徴とした部材締結用アンカー。
【請求項６】
被取付部材を一方側から締結するのに、筒体の一方側を閉鎖壁部とした筒体の拡開部の内部に，一本の軸の長さ方向のある個所から軸体と駒軸とに分ける小さい断面積にして連成した連成部を一個又は複数個設けて、前記軸体と前記駒軸を設けた前記軸体を打ち込み又は押込みにより連成部から破断させて、前記筒体の拡開部に前記軸体と前記駒軸が重なり合い挿入して、前記筒体の拡開部を拡開させることを特徴とした締結具。
【請求項７】
被取付部材を一方側から締結するのに、筒体の一方側を閉鎖壁部とした筒体の拡開部の内部に、最初から軸体とは独立した軸の少なくとも一方側を先端に向ってテーパ状に先細にして形成する駒軸を一個又は複数個入れておき、その間に、軸の先端に向ってテーパ状に先細にして形成する軸体を打ち込み又は押込みによって入れて、前記筒体の拡開部に前記駒軸と前記軸体が重なり合い挿入して、前記筒体の拡開部を拡開させることを特徴とした締結具。
【手続補正２】
【補正対象書類名】明細書
【補正対象項目名】全文
【補正方法】変更
【補正の内容】
【発明の詳細な説明】
【発明の名称】部材締結用アンカー及び締結具
【技術分野】
【０００１】
この発明は主に土木建築及び工業関係の基礎取付箇所における建築物や装置等を、壁又は床上の取付基体、及び、取付部材同士を取付けすることのできるものに使用することができる部材締結用アンカー及び締結具に関する。
【背景技術】
【０００２】
従来において、本発明に近い代表的な技術として下記特許文献１から３などがある。
【０００３】
その特許文献１は図示で示しているように、拡開アンカーは筒体の一端を肉厚にした内部に、先端を円錐状にしたピンを入れて拡開する点は従来の技術と同じ単なる拡開アンカーである。
【０００４】
特許文献２は、筒体の内部に、軸の一端をネジ部として、他端を円錐状に径大とした軸を入れて、軸のネジ部で筒体を圧縮するように締付けて、筒体のスリット部がテーパ状の軸部で拡開するようにする拡開アンカーであるが、この技術も従来の拡開アンカーにすぎないものである。
【０００５】
特許文献３は、筒体の端部の中央にスリットを設けた部分を圧縮して拡開したものであるが、このものはネジの嵌め合いによる伸縮作用で締結するのでネジ部分は硬い材料を使用しなければならないことや構造では拡開能力が小さい欠点があった。
【０００６】
【特許文献１】実開平７-４９１３
【特許文献２】特開平１０-２５９８１２
【特許文献３】特開昭５８-８８２１７
【発明の開示】
【発明が解決しようとする課題】
【０００７】
従来のコンクリートなどに使用する拡開アンカーの拡開能力範囲は最大で筒体の穴の直径の太さ分だけが筒体の外部の壁面に出張るようにしたものであった。そのために取付基体の材質が弱いものにおいては、出張りが少ないので拡開範囲が少なくなり取付基体から抜け出す場合があった。
【０００８】
又、従来の拡開アンカーは拡開して取付けた場合に、取付基体がコンクリートなどの様な場合に、取付基体の穴と拡開アンカーの径の精度が合ってない等ではコンクリートに食い込み着止する力が弱く引き抜けることがあった。
【０００９】
従って、この発明の目的は筒体の拡開能力を従来の締結よりも大きくすることができて、更に、壁や床上等の取付基体の穴に直に締結が容易にできる部材締結用アンカー、及び、一方側から被取付部材を締結するのに、構造簡単にして堅固に確実に締結できる締結具を提供することにある。
【課題を解決するための手段】
【００１０】
前記目的の第一の発明は、筒体の拡開部に、一本の軸の長さ方向のある個所から軸体と駒軸とに分ける小さい断面積にして連成した連成部を一個又は複数個設けて、前記軸体と前記駒軸を設けた前記軸体を打ち込み又は押込みにより連成部から破断させて、前記筒体の拡開部に前記軸体と前記駒軸が重なり合い挿入して、前記筒体の拡開部を拡開させることを特徴とした部材締結用アンカーによって達成される。
【００１１】
前記目的の第二の発明は、請求項１において、一本の軸に複数個の連成部を設けて前記軸体と前記駒軸を形成する場合、先端方向の連成部を後方の連成部に比して小さい断面積を有したことを特徴とした部材締結用アンカーによって達成される。
【００１２】
前記目的の第三の発明は、壁又は床等の取付基体の穴に、一本の軸の長さ方向のある個所から軸体と駒軸とに分ける小さい断面積にして連成した連成部を一個又は複数個設けて、前記軸体と前記駒軸を設けた前記軸体を打ち込み又は押込みにより連成部から破断させて、前記軸体と前記駒軸が重なり合い挿入して、前記軸体が壁又は床等の取付基体の穴の壁に取り付いて被取付部材を取付することのできる一本の軸からなることを特徴とした部材締結用アンカーによって達成される。
【００１３】
前記目的の第四の発明は、筒体の拡開部に、最初から軸体とは独立した軸の少なくとも一方側を先端に向ってテーパ状に先細にして形成する駒軸を一個又は複数個入れておき、その間に、軸の先端に向ってテーパ状に先細にして形成する軸体を打ち込み又は押込みによって入れて、前記筒体の拡開部に前記駒軸と前記軸体が重なり合い挿入して、前記筒体の拡開部を拡開させることを特徴とした部材締結用アンカーによって達成される。
【００１４】
前記目的の第五の発明は、壁又は床等の取付基体の穴の内部に、最初から軸体とは独立した軸の少なくとも一方側を先端に向ってテーパ状に先細にして形成する駒軸を一個又は複数個入れておき、その間に、軸の先端に向ってテーパ状に先細にして形成する軸体を打ち込み又は押込みによって入れて、壁又は床等の取付基体の穴の内部に前記駒軸と前記軸体が重なり合い挿入して、壁又は床等の取付基体の穴の側壁に前記駒軸と前記軸体とが重なり合って食い入るようにした、この前記軸体と前記駒軸によってなることを特徴とした部材締結用アンカーによって達成される。
【００１５】
前記目的の第六の発明は、被取付部材を一方側から締結するのに、筒体の一方側を閉鎖壁部とした筒体の拡開部の内部に，一本の軸の長さ方向のある個所から軸体と駒軸とに分ける小さい断面積にして連成した連成部を一個又は複数個設けて、前記軸体と前記駒軸を設けた前記軸体を打ち込み又は押込みにより連成部から破断させて、前記筒体の拡開部に前記軸体と前記駒軸が重なり合い挿入して、前記筒体の拡開部を拡開させることを特徴とした締結具によって達成される。
【００１６】
前記目的の第七の発明は、被取付部材を一方側から締結するのに、筒体の一方側を閉鎖壁部とした筒体の拡開部の内部に、最初から軸体とは独立した軸の少なくとも一方側を先端に向ってテーパ状に先細にして形成する駒軸を一個又は複数個入れておき、その間に、軸の先端に向ってテーパ状に先細にして形成する軸体を打ち込み又は押込みによって入れて、前記筒体の拡開部に前記駒軸と前記軸体が重なり合い挿入して、前記筒体の拡開部を拡開させることを特徴とした締結具によって達成される。
【発明の効果】
【００１７】
この発明は取付基体の穴の内部に、筒体を介するか、又は、取付基体の穴の内部に、一本の軸の長さ方向のある個所を小さい断面積にして連成した連成部を一個又は複数個設けて、軸体と駒軸を形成してなるものを入れるか、又は、最初から独立した駒軸を入れたものに、軸体を入れて軸体と駒軸が重なって入って、それらは取付基体の穴の側壁に食い入り取付基体の穴の側壁を拡開することのできる拡開能力の大きくした部材締結用アンカーの発明である。
【００１８】
従って、筒体の一方は軸体が入る開口部であって、他方は開口とする場合もあるが、閉鎖壁にしてあってもこの発明は成り立つものであって、その使い分けは、その用途によって分別される部材締結用アンカー及び締結具として使い分けして使用すればよいものである。
【００１９】
この部材締結用アンカーにおいて、軸体と駒軸は切り離されることができるように連成してあっても良く、初めから、単体で独立してあっても良い、又、連成体にあっては連成方法は、軸体と駒体は一体の金属であってもよく、その連成部は合成樹脂の成形で連成してあっても良く、必ずしも軸の中心でなくても切り離れて駒軸の役目を有することができれば、この発明は成り立つものである。
【００２０】
この部材締結用アンカーは拡開範囲が広いから取付基体から抜けないので、いろいろな土木建築及び工業関係の基礎取付箇所における建築物や装置等に取付するものに好適である。
【００２１】
従って、従来の拡開アンカーの欠点を補うことのできる拡開アンカーが得られるものである。
【００２２】
従来の埋込アンカーのように始めからコンクリートに埋込んだように、この発明の部材締結用アンカーを使用すると抜け出す力が加わっても抜けなくなり、建築などの工事に使用しても、その用途に好適な部材締結用アンカーとなる発明を得るものである。
【００２３】
この発明に最も近い従来の拡開アンカーである代表的な一例を特許文献１で示すように、筒体の拡開範囲は、最大で筒体の穴の直径からスリットの巾を差し引いた肉厚の部分が筒体の外部の壁面に出張るようにしたものであった。そのために取付基体の材質が弱いものにおいては、出張りが少ないので拡開範囲が少なくなり取付基体の穴から抜け出す場合があった。
【００２４】
従来の筒体の拡開能力は、筒体の内部に設けた肉厚部が、この筒体の内部に入った軸の外径によって、筒体を外部に押し出して拡開するものである。
【００２５】
従って、従来の拡開アンカーは筒体の内部の肉厚部の突出部分が拡開して拡開範囲となるので打ち込み時に肉厚の先端が細くなるので変形が著しく拡開範囲が小さくなり、更に、構造が複雑になるので製作工程が多く要して制作費が高価になる欠点を有するものであった。
【００２６】
又、筒体を分割しているので、その分だけ筒体の突出部が小さくなるので筒体の拡開範囲が小さくなるものであった。
【００２７】
この発明は、それらの筒体の内部に突出部を設けてあってもよく、又は、筒体の内部に肉厚部分を設けなくても、筒体の内部に一本の軸が連成部から切れて重なりあって入ることで、構造を簡単にして拡開範囲が大きい拡開能力が優れた部材締結用アンカーを得ることができるものである。
【００２８】
更に、この部材締結用アンカーは筒体を使用しなくても、一本の軸が切れて軸体と駒軸が重なることによって、壁や床等の取付基体の穴の側壁に食い入ることにより、一本の軸が取付基体の穴から抜けなくなることにより、壁や床等の取付基体に取付部材を一本の軸で取付することができる構造が簡単にして拡開範囲が大きい拡開能力が優れた部材締結用アンカーを得ることができるものである。
【００２９】
壁又は床等の取付基体の穴、又は、壁又は床等の取付基体の穴の中に筒体を入れた筒体の穴の内部に、少なくとも一方側を先端に向ってテーパ状に先細にして全長を前記筒体の穴の直径より大きく設けた駒軸を一個又は複数個入れておいて、その間に先端に向ってテーパ状に先細にした軸体を打ち込み又は押込みによって入れてなることもできる部材締結用アンカーでもある。
【００３０】
被取付部材に設けた穴の一方側から被取付部材を取付けることにおいて、筒体の一方側を閉鎖壁部とした筒体の拡開部に、一本の軸の長さ方向のある個所を小さい断面積にして連成した連成部を一個又は複数個設けて、軸体と駒軸を設けた軸体を打ち込み又は押込みにより連成部から破断させて、前記筒体の拡開部に前記軸体と前記駒軸が重なりあって入ってなることによる部材締結用アンカーでもある。
【００３１】
又は、取付部材に設けた穴の一方側から被取付部材を取付けることにおいて、筒体の一端を閉鎖壁部とした筒体の拡開部に、最初から独立した少なくとも一方側を先端に向ってテーパ状に先細にした駒軸を一個又は複数個設けて入れたその間に、更に、先端に向ってテーパ状に先細にした軸体を打ち込み又は押込みによって入れてなることによる締結具の発明でもある。
【００３２】
従って、この部材締結用アンカー及び締結具は構造を簡単にして拡開能力が大きく、安価にして大量生産できて、いろいろな土木建築及び工業関係の基礎取付箇所における建築物や装置等に取付するものに好適な部材締結用アンカー及び締結具となるものである。
【００３３】
従来の拡開アンカーは特許文献１、特許文献２、特許文献３のように筒体の拡開能力は小さかったものを、この発明によって、一本の軸が切れて重なり合うような形状にして拡開能力を大きくしていろいろ用途にも使用できる従来の欠点を解決した従来のアンカーの欠点を補うことのできる部材締結用アンカー及び締結具を得ることができるものである。
【発明を実施するための最良の形態】
【００３４】
この発明は穴の内部に軸(この発明において以下、軸とは、長さ方向に対して直角方向の外形は丸形や多角形等によって成り立つものを云う)が複数個に重なり合って入るときに、穴の内径よりも重なり合った複数個の寸法が大きいと穴の径を拡大して入り込んだ軸が穴から抜けなくなることによるものである。
【００３５】
この発明の第一は、壁、又は、床等でなる取付基体に穴を設けた内部に軸又は筒体を介して軸を入れて、その軸が切れて重なり合うことで、取付基体の穴を拡開して取付基体に軸が食い入って、軸が取付基体に取付けすることのできる部材締結用アンカーの発明である。
【００３６】
この発明の第二は、被取付部材の一方側から筒体を拡開する軸を入れて、筒体の拡開部を拡開させて被取付部材を締結する締結具の発明である。
【００３７】
この発明の部材締結用アンカー及び締結具は拡開範囲が広いので一旦取付基体に取付けると取付基体から抜けなくなるので、いろいろな土木建築及び工業関係の基礎取付箇所における建築物や装置等に取付するものに好適である。
【００３８】
以下、本発明を図面に基づき実施例にそって説明する。
【００３９】
図１は、取付基体Ｘに取付部材Ａと取付部材Ｂを取付けすることにおいて、筒体１の上部にネジ部１０を設け、このネジ部１０に螺合するナット１１を設けてある。又、筒体１の他端にはスリット４を設けてある。そのような筒体１の内部９に、一本の軸の長さ方向のある個所を小さい断面積にして連成した連成部７を設けて、軸体２と駒軸５を形成した一本の軸を入れて部材締結用アンカーを構成することを示す図である。
【００４０】
このように構成した部材締結用アンカーにおいて、取付基体Ｘに筒体１を入れて取付部材Ａと取付部材Ｂを取付するのに、筒体１の内部に駒軸５と連成部７で連成する軸体２を入れて、軸体２の頭部１３を打撃するように打ち込めば図２で示すように、駒軸５は連成部７から破断して切離れて軸体２と駒軸５は互いのテーパ面が接して滑り合って、軸体２と駒軸５は重なり合って入って筒体１の拡開部を拡開させる。
【００４１】
ことによって、筒体１は取付基体Ｘの穴に取付される。取付基体Ｘに取付けされた筒体１によって取付部材は取付けされて、軸体２は、このとき筒体１にも食い入っているので取付基体Ｘから抜けなくなるものである。
【００４２】
このときの軸体２と駒軸５の先端を円錐状に形成するテーパの形状は、筒体１の拡開部を拡開し易くするためにいろいろな形状にも形成することもあり、又、軸体は図２１及び図２２で示すような形状にもすることもあり得るものである。
【００４３】
ことにより軸体２と駒軸５は、穴の内部に軸同士が滑り合って重なり合って入るときに、穴の内径よりも重なり合った寸法が大きいので筒体１の穴の径を拡大拡開すると共に、筒体１が取付基体Ｘに食い入り取付けされる。又、駒軸５の底部に当たる角部の側面は円錐状に面取りをすることによって、軸体２と駒軸５は重なり合い易くするものでもある。
【００４４】
この発明では壁、又は、床等でなる取付基体Ｘに取付部材Ａと取付部材Ｂを取付けることにおいて、筒体１を設けずに取付基体Ｘの穴に直に、一本の軸の長さ方向のある個所を小さい断面積にして連成した連成部７から破断して切り離れて軸体２と駒軸５とが重なり合って入るようにすることによって、一本の軸でなる部材締結用アンカーを得ることもできるものである。
【００４５】
そのようにしても軸体２と駒軸５は圧着して固着して、その周囲は取付基体Ｘの穴の側壁に食い入るので軸体２は取付基体Ｘの穴から抜けなくなる。
【００４６】
ことによって、一本の軸によって取付部材Ａと取付部材Ｂを取付基体Ｘに取付することができる部材締結用アンカーを得ることができるものである。
【００４７】
それらの拡開能力は取付基体Ｘの穴の大きさ又は筒体の穴の径に対して、軸体２と駒軸５の径が占める割合によって決まるが、軸体と駒軸の太さが太ければ太いほど拡開能力は大きくなるものである。
【００４８】
筒体１を設けた場合においても、筒体１の拡開部に軸体２と駒軸５が食い入って筒体１を拡開して、筒体は取付基体Ｘに食い入るので、筒体１の拡開能力を大きくする部材締結用アンカーが成り立つものである。
【００４９】
一本の軸からなる部材締結用アンカーは軸体と連成した駒軸の部分に曲がりを入れると、
駒軸が穴の周囲に占める割合が大きくなり弾性復元力が生じることができる部材締結用アンカーを得ることができるものである。
【００５０】
図７は、本発明の応用例(その１)を示すもので、筒体２０に入る一本の軸からなる軸体２２は段付部２４を有して軸細の軸体２６を設け、軸体２６には連成部２７を有して駒軸２８を設け、更に、連成部２９を有して駒軸３０を設けて、連成部は打ち込みにより連成部から破断するように軸体２２の先の方向に向うほど小さな断面積にしてある。従って、この連成部は連成部２７よりも連成部２９の方が小さな断面積にして、小さな断面積の方が先に破断するようにしてある。
【００５１】
このようにした取付基体Ｘの穴に筒体２０を取付け、その筒体２０の内部に、軸体２２と連成部で連成した駒軸を入れておいて、軸体２２の頭部３３を打撃して打ち込むと、図８のように駒軸３０と駒軸２８と軸体２６は連成部から破断して切り離されて重なり合うと同時に、筒体２０のスリット４の拡開部を拡開して筒体２０は取付基体Ｘに取り付けされる。
【００５２】
その後、筒体２０のネジ部１０側に取付部材Ａと取付部材Ｂが取り付けされる。
【００５３】
従って、このようにした構造にして軸体と駒軸の径を大きく設ければ拡開能力を大きくすることができる、又、駒軸同士の径の大きさは異なっていても、この発明の部材締結用アンカーは成り立つものである。
【００５４】
軸体と駒軸の形状は図２１と図２２のような軸の径をテーパ状に二分するようにして連成部を設けても良い。又、軸体の形状は角形や丸形などのいろいろなものが考えられるが、いずれにしても軸体を打撃して打ち込むことで軸体と駒軸の連成部から切り離れて軸体と駒軸が重なり合いやすい形状であって、締結後に取付基体Ｘの穴から軸体が抜けないような形状にすることが好ましいものである。
【００５５】
連成部を複数個設けた連成部を打ち込み側に向って径大にしておくのは、打ち込みにより最初は径細部が切れ、次に径大が切れるようにしたものである。このようにすれば軸体を打ち込み易くするものである。
【００５６】
図１２は本発明の応用例(その２)を示すもので、筒体４０の拡開部を拡開させるのに駒軸４６、駒軸４７、駒軸４８、駒軸４９は初めから切離れて独立してある。
【００５７】
この締結具は初めに、取付基体の穴に筒体４０を入れておき、その内部に初めから独立した駒軸４６、駒軸４７、駒軸４８、駒軸４９を入れておいて、その隙間４１に、軸体４４でなる軸細の軸体４５を入れて、軸体４４の頭部を打撃し入れて筒体４０の拡開部を拡大拡開するものである。
【００５８】
実用に当っては、駒軸４６、駒軸４７、駒軸４８、駒軸４９の形状は一方側のみの先端部を先細にすると、誤って逆に駒軸を取付用の穴に入れてしまうことも考えられるので、駒軸は両端とも同じように先端部を先細にしても良いものである。
【００５９】
従って、この発明は、拡開部を設けた筒体の内部に、最初から軸体とは独立した、少なくとも一方側を先端に向ってテーパ状に先細にして形成する駒軸を一個又は複数個入れておき、その間に、軸体は先端に向ってテーパ状に先細にして形成した、軸体を打ち込み又は押込みによって圧入してなる部材締結用アンカーによってもこの発明は成り立つものである。
【００６０】
又、この発明は、壁又は床等の取付基体の穴の内部に、最初から軸体とは独立した、少なくとも一方側を先端に向ってテーパ状に先細にして形成する駒軸を一個又は複数個入れておき、その間に、軸体は先端に向ってテーパ状に先細にして形成した、軸体を打ち込み又は押込みによって圧入してなる部材締結用アンカーによってもこの発明は成り立つものである。
【００６１】
このようにすれば拡開能力も広く筒体の拡開部分が外周に均等に大きく拡開することができるので、特許文献１、特許文献２、特許文献３の従来の拡開アンカーよりも優れた特徴を有する部材締結用アンカーとなるものである。
【００６２】
図１２では駒軸の外形を六角形にして四個設けた場合について説明したが、駒軸は一個設けた場合でもこの発明は成り立ち、又、駒軸の形状は丸形でも四角形にしてもこの発明は成り立つものである。
【００６３】
図１４は、図１の応用例(その３)であって、筒体５０のスリット１４側の一方側を閉鎖壁部５１にしたもので、図１４の締結具は取付基体Ｘの穴が貫通しているような場合に使用されるもので、筒体５０の穴の長さ方向の内部に軸体５４でなる駒軸５８が図１５のように取付基体Ｘに入って締結される締結具となるものである。
【００６４】
図１６は本発明の応用例(その４)であって、二枚の取付部材Ａと取付部材Ｂを一方側の方向から取付けするのに、筒体６０を設けた、その内部に軸体６４に連成部６７を有した駒軸６６を入れて、二枚の被取付部材を締結する締結具を得るようにしたものである。
【００６５】
被取付部材に設けた穴の一方側から取付部材を取付けることにおいて、筒体６０の一端を閉鎖壁部６１とした筒体６０の内部に，軸体６４は軸体６４の外径よりも小さい断面積の連成部６７を有して、この連成部６７は軸体６４が打ち込み又は強い押込みにより容易に破断するようにしてなる駒軸６６を設けてある。その駒軸６６と重なるようにその間に、先端を先細にした軸体６４を打ち込み又は押し込みによって入れてなることによって、この発明の締結具は成り立っている。
【００６６】
筒体の拡開部に入る駒軸は一本の軸から複数個設けても良く、又は、最初から独立してあってもこの発明は成り立つものである。
【００６７】
駒軸は最初から独立したものを筒体に入れるには、駒軸の少なくとも一端は先端に向ってテーパ状に先細にして、全長を筒体の穴の径より大きくした縦長の形状にするようにしてもよい。
【００６８】
これまでの発明で連成部の連成方法は、一本の軸体でなる金属であっても良く、又、その連成部は合成樹脂の成形で連成してあってもよく、又、必ずしも軸の中心が連成してなくても切り離した場合に軸体と駒軸の役目を有することができれば、この発明は成り立つものである。
【００６９】
この発明は被取付部材に設けた穴の一方側から取付部材を取付けることにおいて、筒体の一方側を閉鎖壁部とした筒体の拡開部の内部に、一本の軸の長さ方向のある個所を小さい断面積にして連成した連成部を一個又は複数個設けて、軸体と駒軸を設けた軸体を打ち込み又は押込みにより連成部から破断させて、前記筒体の拡開部に前記軸体と前記駒軸が重なりあって入ることによる締結具の発明でもある。
【００７０】
又は、被取付部材に設けた穴の一方側から取付部材を取付けることにおいて、筒体の一方側を閉鎖壁部とした筒体の拡開部の内部に、始めから独立した少なくとも一端を先端に向ってテーパ状に先細にした駒軸を一個又は複数個設けて入れたその間に、更に、先端に向ってテーパ状に先細にした軸体を打ち込み又は押込みによって入れてなることによる締結具によってもこの発明は成り立つものである。
【００７１】
前記した発明において、これまで筒体にスリットを設けたものについて説明してきたが、最初から筒体にスリットを設けずに、筒体に軸体と駒軸が切れて重なり合って入っていく時に、筒体が膨張或は割れるようにしておけば最初から筒体にスリットは設けなくてもこの発明の部材締結用アンカー及び締結具は成り立つものである。
【００７２】
従って、本発明の部材締結用アンカー及び締結具によれば使用範囲が広く、又、部材締結用アンカー及び締結具の材料をその用途に応じて金属にするか、又、合成樹脂によるかはそのときの部材の締結条件によってきまるが、図１６のように使用する場合には合成樹脂によることによって、有効に締結することができる部材締結用アンカー及び締結具を得ることができるものである。
【００７３】
これまでの発明で部材締結用アンカー及び締結具は合成樹脂によっても製作できるので、軸体と駒軸の径方向の形状は異なっているいろいろな形状でもできるが、部材締結用アンカー及び締結具としての機能を達成し得る形状にするようにして、更に、制作費を安価にできるように設定するものである。
【００７４】
これまでの発明において、筒体は金属パイプなどからも容易に製作が安価にできて、更に、筒体の拡開部を大きくするために筒体の穴の内面はテーパをつけ段付に肉厚を設けてもよく、必ずしも出口側と抜口側との面はそのときに応じて異なっている形状にしてあっても本発明は成立つものである。
【００７５】
これまでの発明において、実際の現場では取扱上の不便さなどから駒軸の向きを揃えるために一本の軸体から駒軸を連成する連成部を設けることが良いものでもある。
【００７６】
本発明によれば構造が簡単で、部材締結用アンカー及び締結具は金属、又は、合成樹脂でも製造ができて、更に、部材締結用アンカー及び締結具として使用範囲が広く、しかも、低コストで大量生産することができる部材締結用アンカー及び締結具を得ることができるものである。
【図面の簡単な説明】
【００７７】
【図１】本発明の部材締結用アンカーの一実施例を示す要部断面図。
【図２】図１の部材締結用アンカーの使用状態を示す要部断面図。
【図３】図１の筒体の正面図。
【図４】図１の筒体の左側面図。
【図５】図１の筒体の右側面図。
【図６】図１の部材締結用アンカーの軸体の正面図。
【図７】図１の応用例(その１)を示す部材締結用アンカーの要部断面図。
【図８】図７の部材締結用アンカーの使用状態を示す要部断面図。
【図９】図８の部材締結用アンカーのＹ−Ｙ部分の断面図。
【図１０】図８の部材締結用アンカーの軸体を示す正面図。
【図１１】図１０の部材締結用アンカーの右側面図。
【図１２】本発明の部材締結用アンカーの応用例（その２）を示すアンカーの要部断面図。
【図１３】図１２の部材締結用アンカーのＺ−Ｚ部分の断面図。
【図１４】本発明の部材締結用アンカーの応用例（その３）を示す締結具の要部断面図。
【図１５】図１４の締結具の使用状態を示す要部断面図。
【図１６】本発明の部材締結用アンカーの応用例（その４）を示す締結具の要部断面図。
【図１７】図１６の筒体の正面図。
【図１８】図１６の筒体の右側面図。
【図１９】図１６の締結具の軸体の正面図。
【図２０】図１６の筒体の右側面図
【図２１】本発明の部材締結用アンカー及び締結具の軸体からなる駒軸を連成する状態を示す応用例１を示す図。
【図２２】本発明の部材締結用アンカー及び締結具の軸体からなる駒軸を連成する状態を示す応用例２を示す図。
【図２３】図２０の左側面図。
【符号の説明】
【００７８】
１．２０．４０．５０.６０：筒体
２．２２.２６.４４．４５．５４.６４.８４.９４：軸体
４.１４：スリット
５．２８.３０.４６．４７．４８．４９．５８.６６.８１.８２.９１：駒軸
７．２７.２９.５７.６７.８７.９７：連成部
９：内部
１０：ネジ部
１１：ナット
１３.３３.５３.６３.８３.９３：頭体
２４：段付部
４１：隙間
５１.６１：閉鎖壁部
８９：空間部
Ｘ：取付基体
Ａ：取付部材
Ｂ：取付部材
Ｅ：穴